(57)【要約】【課題】容器において、蓋体の自由端の左右に位置される側辺部に形成させたタブ部を、容器開口を構成する側面の上辺部に形成させたスリットに対し、タブ部の押圧操作により係合させ易くしながら、係合後はその係合状態が可及的に安定的に確保されるように、係合可能とする。【解決手段】六面体容器１を左右に二分する前後方向に沿った仮想の中心線ｘに対しタブ部７ｇの先端縁７ｋが倣う六面体容器１の前後方向に実質的に沿った仮想の直線ｙは平行とならないようになっていると共に、スリット１１を前記仮想の中心線側ｘを湾曲外側とする仮想の湾曲線分に倣うように形成させている。【選択図】図１
2018177240.tif 000002
【特許請求の範囲】
【請求項１】
紙または合成樹脂製のシートよりなる六面体容器であって、
その上面は容器開口を閉塞する蓋板によって構成されるようになっていると共に、
前記蓋板の一辺部と、前記容器開口を形成する四つの側面の上辺部のうちの一つの側面の上辺部とは、折り用線を介して連接されており、
前記蓋板の一辺部の左右に位置される前記蓋板の側辺部の双方又はいずれか一方には、タブ部が形成されており、
前記閉塞時に前記蓋板の側辺部下に位置される前記側面の上辺部には前記蓋板の側辺部の当接部が形成されており、
前記当接部にはスリットが形成されており、
前記閉塞状態から前記タブ部を押圧操作することにより前記側面が外側に撓み出して前記スリットに前記タブ部が受入されて前記蓋板の側辺部と前記側面の上辺部とが係合されるようになっており、
しかも、前記六面体容器を左右に二分する前後方向に沿った仮想の中心線に対し前記タブ部の先端縁が倣う前記六面体容器の前後方向に実質的に沿った仮想の直線は平行とならないようになっていると共に、
前記スリットを前記中心線側を湾曲外側とする仮想の湾曲線分に倣うように形成させてなる、六面体容器。
【発明の詳細な説明】
【技術分野】
【０００１】
この発明は、紙または合成樹脂製のシートよりなる六面体容器の改良に関する。
【背景技術】
【０００２】
従来、紙製の六面体容器として、図８及び図９に示されるものがある。この従来の容器は、上面を蓋板１００により閉塞される容器開口１０１としている。蓋板１００は、自由端１００ａの左右の側辺部１００ｂ、１００ｂにそれぞれ、タブ部１００ｃ（耳状部）を備えている。容器開口１０１を形成する四つの側面１０２…１０２のうちの左右の側面１０２、１０２の上辺部にはそれぞれ、容器の内方に向けた折り返し部１０３が形成されている。この折り返し部１０３には容器開口１０１を蓋板１００によって閉塞させた状態において、タブ部１００ｃが係合されるスリット１０３ａが形成されている。具体的には、蓋板１００の下面を折り返し部１０３の上面に接しさせた状態から、タブ部１００ｃを下方に押圧操作すると、側面１０２が外側に撓み出し、スリット１０３ａにタブ部１００ｃが入り込み可能な状況が作り出される。この後、前記押圧操作を止めると、側面が撓み戻し、スリット１０３ａにタブ部１００ｃが入り込む。これにより、前記蓋板１００の左右において側面１０２の上辺部と蓋板１００とを係合させるようにしている（図９）。
【発明の概要】
【発明が解決しようとする課題】
【０００３】
この種の容器において、前記のようなタブ部とスリットとが係合した状態は、両者の重なり代を大きくすればするほど安定的となる。しかし、単純にこの重なり代を大きくしてしまうと、スリットにタブ部を入り込ませるために必要となる前記側面の撓み出し量も増加することから、両者をスムースに係合させ難くなる。
【０００４】
そこで、この発明が解決しようとする主たる問題点は、この種の容器において、蓋体の自由端の左右に位置される側辺部の双方又はいずれか一方に形成させたタブ部を、容器開口を構成する側面の上辺部に形成させたスリットに対し、タブ部の押圧操作により係合させ易くしながら、係合後はその係合状態が可及的に安定的に確保されるように、係合可能とする点にある。
【課題を解決するための手段】
【０００５】
前記課題を達成するために、この発明にあっては、六面体容器を、
紙または合成樹脂製のシートよりなる六面体容器であって、
その上面は容器開口を閉塞する蓋板によって構成されるようになっていると共に、
前記蓋板の一辺部と、前記容器開口を形成する四つの側面の上辺部のうちの一つの側面の上辺部とは、折り用線を介して連接されており、
前記蓋板の一辺部の左右に位置される前記蓋板の側辺部の双方又はいずれか一方には、タブ部が形成されており、
前記閉塞時に前記蓋板の側辺部下に位置される前記側面の上辺部には前記蓋板の側辺部の当接部が形成されており、
前記当接部にはスリットが形成されており、
前記閉塞状態から前記タブ部を押圧操作することにより前記側面が外側に撓み出して前記スリットに前記タブ部が受入されて前記蓋板の側辺部と前記側面の上辺部とが係合されるようになっており、
しかも、前記六面体容器を左右に二分する前後方向に沿った仮想の中心線に対し前記タブ部の先端縁が倣う前記六面体容器の前後方向に実質的に沿った仮想の直線は平行とならないようになっていると共に、
前記スリットを前記中心線側を湾曲外側とする仮想の湾曲線分に倣うように形成させてなる、
ものとした。
【発明の効果】
【０００６】
この発明によれば、紙または合成樹脂製のシートよりなる六面体容器において、蓋体の側辺部に形成させたタブ部を、容器開口を構成する側面の上辺部に形成させたスリットに対し、タブ部の押圧操作により係合させ易くしながら、係合後はその係合状態が可及的に安定的に確保されるように、係合させることができる。
【図面の簡単な説明】
【０００７】
【図１】図１は、この発明の一実施の形態にかかる六面体容器のシートブランクの表面図である。
【図２】図２は、前記シートブランクから形成された六面体容器の斜視図であり、その容器開口は開放された状態である。
【図３】図３は、前記六面体容器の斜視図である。
【図４】図４は、前記六面体容器の要部斜視図であり、同図の上方に蓋板のタブ部を、同図の下方に左側面の上辺部の当接部を表している。
【図５】図５は、前記六面体容器の要部平面図であり、前記タブ部は前記当接部に形成されたスリットに係合している。
【図６】図６は、図５におけるＡ−Ａ線位置での断面図である。
【図７】図７は、図５におけるＢ−Ｂ線位置での断面図である。
【図８】図８は、従来例の斜視図であり、その容器開口は開放された状態である。
【図９】図９は、従来例の斜視図である。
【発明を実施するための形態】
【０００８】
以下、図１〜図７に基づいて、この発明の典型的な実施の形態について、説明する。この実施の形態にかかる六面体容器１は、紙または合成樹脂製のシートから生成されるシートブランクを立体的に組み立てることで形成されるものである。
【０００９】
図１は、前記シートブランクを示している。図１中、符号３は六面体容器１の底面を構成する。符号４ａは六面体容器１の側面４のうちの前側面を構成する。符号４ｂは六面体容器１の側面４のうちの後側面を構成する。符号４ｃは六面体容器１の側面４のうちの左側面を構成する。符号４ｄは六面体容器１の側面４のうちの右側面を構成する。底面３と四つの側面４…４との間は折り込み用線５が付されている。符号６は前側面４ａと左右側面４ｃ、４ｄ、後側面４ｂと左右側面４ｃ、４ｄとの間に形成された折り込み隅部である。
【００１０】
図１中、符号７は六面体容器１の上面を構成する蓋板である。蓋板７は、その一辺部７ａを前記後側面４ｂの上辺部４ｅに折り用線８を介して連接させている。蓋板７の自由端７ｂ側の辺部には折り用線７ｃを介して舌片７ｄが連接されている。かかる折り用線８ほか、本明細書における折り用線は、罫線、ハーフカット、リード罫、ミシン刃など、段ボールシートなどに折りを施しやすくする公知の手法を用いて構成される。
【００１１】
図１のシートブランクは、前記底面３を囲うように四つの側面４…４を立ち上げ、前記折り込み隅部６を左右側面４ｃ、４ｄの外側に折り込んで左右側面４ｃ、４ｄに接着することで、上面を容器開口２とした箱状となる（図２）。
【００１２】
蓋板７は、前記折り用線８を利用して直角に折り、前記舌片７ｄを前記折り用線７ｃを利用して下方へ直角に折り、前記舌片７ｄを前側面４ａの内側に差し込みことで前記容器開口２が閉塞されて前記六面体容器１が構成されるようになっている（図３）。図中、符号７ｅで示すのは前側面４ａの上辺部４ｅ側に形成されたタブ部９が差し込まれるスリットである。
【００１３】
図１中、符号ｘで示すのは、前記のように構成される前記六面体容器１を左右に二分する前後方向に沿った仮想の中心線である。この仮想の中心線ｘは蓋板７の開閉操作の中心となる前記折り用線８に直交する。
【００１４】
前記蓋板７の一辺部７ａの左右に位置される前記蓋板７の側辺部７ｆにはタブ部７ｇが形成されている。
【００１５】
図示の例では、前記側辺部７ｆに、前記仮想の中心線ｘに実質的に沿った前後切り溝７ｈと、この前後切り溝７ｈの前端から前記仮想の中心線ｘ方向に延びる前切り溝７ｉと、前記前後切り溝７ｈの後端から前記仮想の中心線ｘ方向に延びる後切り溝７ｊとにより区分された前記側辺部７ｆの一部によって、前記仮想の中心線ｘ側を基部としその反対の側を自由端とした前記タブ部７ｇが形成されている。かかるタブ部７ｇは、前後方向に実質的に沿った長い先端縁７ｋと、これより短い前縁７ｍ、及び、後縁７ｎを有している。
【００１６】
図示の例では、タブ部７ｇは、蓋板７の前後方向の略中程の位置に形成されている。また、図示の例では、タブ部７ｇは、蓋板７の左右にそれぞれ形成されている。
【００１７】
一方、前記蓋板７による前記容器開口２の閉塞時に、前記蓋板７の側辺部７ｆ下に位置される前記側面４の上辺部４ｅには前記蓋板７の側辺部７ｆを支持する当接部１０が形成されている。
【００１８】
図示の例では、前記左側面４ｃ及び前記右側面４ｄの上辺部４ｅには、前後方向に沿った折り用線４ｇによって区分された前記当接部１０となる当接部構成領域４ｆが形成されている。そして、図示の例では、前記折り用線４ｇを利用して前記当接部構成領域４ｆを前記仮想の中心線ｘ側に向けて直角に折ることで前記左側面４ｃ及び前記右側面４ｄの上辺部４ｅに前記当接部１０を形成させている。
【００１９】
また、前記当接部１０にはスリット１１が形成されている。図示の例では、かかるスリット１１は、左右の当接部１０、１０においてそれぞれ、その前後方向の略中程の位置に形成されている。
【００２０】
そして、この実施の形態にかかる六面体容器１にあっては、前記閉塞状態から前記タブ部７ｇを押圧操作することにより前記側面４が外側に撓み出して前記スリット１１に前記タブ部７ｇが受入されて前記蓋板７の側辺部７ｆと前記側面４の上辺部４ｅとが係合されるようになっている。
【００２１】
具体的には、前記閉塞状態において、タブ部７ｇの先端縁７ｋは前記スリット１１よりもやや外方に位置されるため、前記押圧操作を行わなければタブ部７ｇはスリット１１に入り込まないようになっている。そこで、前記閉塞状態から、タブ部７ｇを押す。タブ部７ｇを押すと、当接部１０を介して側面４（図４〜図７では左側面４ｃ）が外側に撓み出される。側面４が撓み出すと、当接部１０も外方に移動し、スリット１１とタブ部７ｇの先端縁７ｋとが整合する。タブ部７ｇの押圧操作によりスリット１１とこのスリット１１前方の当接部１０の縁部との間がやや下方に撓むため、スリット１１にタブ部７ｇの先端縁７ｋが入り込み可能な状態が作り出される。この状態から前記押圧を止めると、側面が撓み戻すと同時に、スリット１１内にタブ部７ｇが入り込む。これにより、前記蓋板７の側辺部７ｆと前記側面の上辺部４ｅとの係合がなされる。
【００２２】
このこの実施の形態にかかる六面体容器１にあっては、前記仮想の中心線ｘに対し前記タブ部７ｇの先端縁７ｋが倣う前記六面体容器１の前後方向に実質的に沿った仮想の直線ｙは平行とならないようになっている（図１参照）。
【００２３】
図示の例では、前記タブ部７ｇの先端縁７ｋが倣う仮想の直線ｙは、蓋板７の自由端７ｂ側に向かうに連れて、前記仮想の中心線ｘとの距離を漸減させる向きに傾斜している。図示は省略するが、前記前記タブ部７ｇの先端縁７ｋが倣う仮想の直線ｙを、蓋板７の一辺部７ａ側に向かうに連れて、前記仮想の中心線ｘとの距離を漸減させる向きに傾斜したものとしても良い。
【００２４】
また、前記スリット１１は、前記仮想の中心線ｘ側を湾曲外側とする仮想の湾曲線分（図示は省略する。）に倣うように形成されている。
【００２５】
これにより、この実施の形態にあっては、前記閉塞状態から、タブ部７ｇを押圧操作すると、タブ部７ｇは、前記仮想の中心線ｘとの距離を最も小さくする前記先端縁７ｋの導入端７ｏ（図４参照）側からスリット１１内に入り込み、この入り込みを端緒としてスリット１１内にスムースに入り込む。スリット１１も前記の仮想の湾曲線分に倣っていることから、先端縁７ｋの導入端４ｏ側はよりスリット１１内に入り込み易い。その一方で、前記スリット１１は、その前後方向の中程の位置では前記仮想の中心線ｘ側に膨らみだしていることから、スリット１１を通じて当接部１０下に入り込んだタブ部７ｇとこの当接部１０との重なり代は大きく確保でき、両者の係合状態は安定的に確保される。
【００２６】
これにより、この実施の形態にかかる六面体容器１にあっては、蓋部による容器開口２の閉塞状態を、蓋部の側辺部７ｆにおいても適切に維持するようになっている。
【００２７】
なお、当然のことながら、本発明は以上に説明した実施態様に限定されるものではなく、本発明の目的を達成し得るすべての実施態様を含むものである。
【符号の説明】
【００２８】
１  六面体容器
７ｇ  タブ部
７ｋ  先端縁
２  スリット
ｘ  仮想の中心線
ｙ  仮想の直線
【図１】
2018177240.tif 000003
【図２】
2018177240.tif 000004
【図３】
2018177240.tif 000005
【図４】
2018177240.tif 000006
【図５】
2018177240.tif 000007
【図６】
2018177240.tif 000008
【図７】
2018177240.tif 000009
【図８】
2018177240.tif 000010
【図９】
2018177240.tif 000011